(57)【要約】【課題】  版の交換作業をするに際しての操作性を向上させるともに、版に付与するテンション力を切り替えによって予め調整させることにより紙の伸びによる天地方向のずれ量を減少させる。【解決手段】  カム軸１５を回動操作することにより、万力台１１とくわえ板１２の各くわえ面１１ａ，１２ａが開閉し、閉じることにより版の尻側端部がくわえられる。切欠き２の底面２ａに固定されたばね受けバー１３の貫通孔１３ｃに調整ピン２５が回動自在に設けられており、この調整ピン２５の下端部には偏心軸部２５ｄが設けられている。偏心軸部２５ｄと万力台１１のばね孔１１ｂの底面との間には、カム軸１５の大径部１５ｂを支点して万力台１１を版張り方向に付勢する圧縮コイルばね２７が弾装されている。【選択図】  図３
2007111938.tif 000002
【特許請求の範囲】
【請求項１】
版胴に装着される版の一端部を保持する版万力と、
回動させることにより版を保持した前記版万力を版の天地方向に移動させるカム部材と、
前記版万力と版胴側との間に設けられ、前記カム部材を支点として版万力を版張り方向に付勢する弾性部材とを備えた印刷機の版万力装置において、
前記版胴側に設けられ、前記弾性部材による付勢力を調整する調整手段を備えたことを特徴とする印刷機の版万力装置。
【請求項２】
請求項１記載の印刷機の版万力装置において、
前記調整手段を前記版胴側に回転可能に支持され偏心軸部を有するピンとし、前記弾性部材を前記版万力と前記ピンの偏心軸部との間に弾装したことを特徴とする印刷機の版万力装置。
【請求項３】
請求項２記載の印刷機の版万力装置において、
前記ピンが版胴の半径方向に延在していることを特徴とする印刷機の版万力装置。
【発明の詳細な説明】
【技術分野】
【０００１】
本発明は、印刷機の版万力装置に関し、特に紙の天地方向の見当不良を調整することができる印刷機の版万力装置に関するものである。
【背景技術】
【０００２】
この種の印刷機においては、圧胴の爪にくわえられた紙が印刷用紙が含有する水分や表面性の不均一により、圧胴の周面上で圧力が加えられると、紙の天地方向が伸びる現象が発生し、この伸び量は紙の目の方向や紙厚等により大きく異なる。この天地方向の紙の伸びが発生すると、多色刷りにおいては見当が合いにくくなる。したがって、天地方向の見当不良による影響を排除するために、例えば、版胴の尻側版万力を版胴の周面方向に移動調節できる構造とし、尻側版万力にくわえられた版の天地方向を伸ばすように調整している。
【０００３】
従来の印刷機の版万力装置は、万力台に進退調整自在に設けられテーパ面を有する第１のピンを設け、この第１のピンのテーパ面と万力台を円周方向に移動させるカム軸との間に第２のピンを介装し、第１のピンを進退させることにより、第２のピンを介して万力台の円周方向の移動量を調整できるものがある（例えば、特許文献１参照）。
【特許文献１】実開平４−５８３３９号公報（公報９頁１９行〜１１頁１行、第５図）
【発明の開示】
【発明が解決しようとする課題】
【０００４】
上述した従来の印刷機の版万力装置においては、第２のピンをカム軸と第１のピンのテーパ面との間に介装する構造であるため、版の交換を行おうとして万力台とくわえ板との間を開くために第２のピンにカムの小径部を対接させる操作を行っても、万力台とくわえ板との間が充分に開かない場合がある。すなわち、版を天地方向に伸ばす調整をすると、第２のピンがカム軸側に進出しているために，この第２のピンがカムの大径部と同じ作用をしてしまい、カムの小径部を第２のピンに対接させても、万力台とくわえ板との間が閉じたままの状態となっている場合がある。この場合は、版をくわえさせるために、カムの小径部を第２のピンに対接させる操作の他に、一旦第２のピンをカムから後退させる操作が必要になるので操作性が悪いという問題があった。また、紙の目の方向や紙厚等の紙の伸びに対する天地見当のずれ量を少なくするための調整機構が強く望まれていた。
【０００５】
本発明は上記した従来の問題に鑑みなされたものであり、その目的とするところは、版の交換作業をするに際して操作性を向上させるとともに、版に付与するテンション力を切り替えによって予め調整させることにより紙の伸びによる天地方向のずれ量を減少させる印刷機の版万力装置を提供するところにある。
【課題を解決するための手段】
【０００６】
この目的を達成するために、請求項１に係る発明は、版胴に装着される版の一端部を保持する版万力と、回動させることにより版を保持した前記版万力を版の天地方向に移動させるカム部材と、前記版万力と版胴側との間に設けられ、前記カム部材を支点として版万力を版張り方向に付勢する弾性部材とを備えた印刷機の版万力装置において、前記版胴側に設けられ、前記弾性部材による付勢力を調整する調整手段を備えたものである。
【０００７】
請求項２に係る発明は、請求項１に係る発明において、前記調整手段を前記版胴側に回転可能に支持され偏心軸部を有するピンとし、前記弾性部材を前記版万力と前記ピンの偏心軸部との間に弾装したものである。
【０００８】
請求項３に係る発明は、請求項２に係る発明において、前記ピンが版胴の半径方向に延在している。
【発明の効果】
【０００９】
請求項１に係る発明によれば、版の交換作業のためにカム部材の小径部を万力台に対向させることにより、カム部材の大径部を支点として版万力を付勢している弾性部材の付勢力が解除される。したがって、この状態では、カム部材を支点とする弾性部材の付勢力が版万力に作用することがないから、万力台とくわえ板との間に版が挿入できる充分な隙間が形成される。このため、版を挿入するために、一旦調整手段を操作して弾性部材による版万力への付勢力を解除する作業が不要になるから版の交換作業における操作性が向上するともに、版に付与するテンション力を切り替えによって予め調整させることにより紙の伸びによる天地方向のずれ量を減少させる。
【００１０】
請求項２に係る発明によれば、ピンをわずかに回動させることによって見当調整ができるため、調整を容易かつ短時間で行うことができる。
【００１１】
請求項３に係る発明によれば、ピンの頭部が版胴の半径方向を指向しているため、調整を容易かつ短時間で行うことができる。
【発明を実施するための最良の形態】
【００１２】
以下、本発明の実施の形態を図に基づいて説明する。図１は本発明に係る印刷機の版万力装置が実施された版胴の上半分を示す断面図、図２は同じく版胴の切欠きに装着された版万力装置の左側半分を示す平面図、図３は同じくカム軸の大径部を万力台に対接させた状態を示す図２におけるIII-III 線断面図、図４は同じくカム軸の小径部を万力台に対接させた状態を示す図２におけるIII-III 線断面図、図５は図３におけるV-V 線断面図である。
【００１３】
図１において、全体を符号１で示す版胴の外周部には、断面が略長方形状を呈し底面２ａを山形状に形成された切欠き２が、胴の略全長にわたって設けられており、この切欠き２の両端開口は、円板状に形成されたベアラ３，３で閉塞されている。５は版胴１の軸線方向の全体にわたって設けられたくわえ側版万力であって、断面が略正方形状に形成され版胴１の軸線方向に延在する万力台６と、四つに分割されたくわえ板７とによって構成されている。この万力台６は、図示しない調節装置により切欠き２の底面に沿って版胴１の円周方向へ移動調節できるように構成されている。
【００１４】
四つに分割されたくわえ板７は平面視矩形状で全長が万力台６と略同長に形成されており、各くわえ板７は、支持ブロック８に設けられた水平方向に突出するピン８ａによって揺動自在に支持されている。各くわえ板７は、カム軸９を駆動装置によって回動することにより、カム軸９のカム部の作用で、各くわえ板７が揺動して万力台６のくわえ面６ａに対してくわえ板７のくわえ面７ａが開閉するように構成されている。
【００１５】
次に、図１ないし図３を用いて、三つに分割された尻側版万力１０Ａないし１０Ｃについて説明する。これら尻側版万力１０Ａないし１０Ｃのうち、中央の尻側版万力１０Ｂは版胴１に対して版胴１の軸線方向（矢印Ａ−Ｂ方向）の移動が規制された状態で設けられ、左右の尻側版万力１０Ａ，１０Ｃ（一方の尻側版万力１０Ｃは図示を省略）は版胴１の軸線方向（矢印Ａ−Ｂ方向）に移動自在に設けられている。したがって、上記以外の構造はいずれも同一の構造を有しているので、ここでは尻側版万力１０Ａについてのみ説明し、必要に応じて他の尻側版万力１０Ｂ，１０Ｃについても説明する。
【００１６】
図１および図２において、１０Ａはくわえ側版万力５と平行に切欠き２内に設けられた尻側版万力であって、断面が略長方形状に形成され版胴１の軸線方向に延在する万力台１１と、くわえ板１２とによって構成されている。また、この尻側版万力１０Ａは、くわえ板１２と矢印Ａ−Ｂ方向に略同じ長さに形成され切欠き２の底面２ａに固定された固定部材としてのばね受けバー１３を備えている。このばね受けバー１３は版胴１の半径方向に延設された端面１３ａを備えており、この端面１３ａと切欠き２の壁面２ｂとの間には、支持軸１４が左右のベアラ３，３方向に延設されている。
【００１７】
上記した万力台１１とくわえ板１２とは、版胴１の半径方向に延在するくわえ面１１ａ，１２ａを互いに対向させて、これらくわえ面１１ａ，１２ａが離間・接近するように、支持軸１４を揺動支点として連結されている。また、万力台１１とくわえ板１２とは切欠き２の円周方向（矢印Ｃ−Ｄ方向）へわずかに移動調整できるように構成されている。切欠き２の壁面２ｂに形成された凹部２ｃ内には、平面状に形成された小径部１５ａと円弧状に形成された大径部１５ｂとで棒状に形成されたカム軸１５が版胴１に回動自在に支持されている。１６は尻側版万力１０の脱落を規制するガイドであって、切欠き２の壁面２ａの凹部２ｃに固定されている。
【００１８】
図１において、１８はばね受けバー１３のばね孔１３ｂ内に摺動自在に設けられ、ダブルナットによって移動端限が規制されたばね軸であって、このばね軸１８の鍔部１８ａとばね孔１３ｂの底面との間には、くわえ板１２をばね受けバー１３から離間させる方向に付勢する付勢手段としての圧縮コイルばね１９が弾装されている。図３において、２０は万力台１１のばね孔内の底面とくわえ板１２との間に弾装された圧縮コイルばねであって、万力台１１をくわえ板１２から離間させる方向に付勢している。
【００１９】
次に、図３ないし図５を用いて、カム軸１５を支点として尻側版万力１０を版張り方向に付勢する弾性部材と、この弾性部材による付勢力を調整する調整手段について説明する。ばね受けバー１３には、図３に示すように版胴１の半径方向に貫通する貫通孔１３ｃと、この貫通孔１３ｃと直交する方向に穿設されたばね孔１３ｄとが設けられている。２５は貫通孔１３ｃに回転可能に支持された調整手段としての調整ピンであって、大径に形成された頭部２５ａの上端面には、レンチ等の工具が挿入できる六角穴２５ｂが設けられている。
【００２０】
この調整ピン２５の軸線方向中間部には環状溝２５ｃが設けられており、この環状溝２５ｃには図示を省略した抜け止め用のピンの先端部が臨み、調整ピン２５の貫通孔３ｂからの抜けを規制している。また、この調整ピン２５の貫通孔１３ｃから突出し、ばね孔１３ｄに臨む下端部には、調整ピン２５の軸芯からδだけ偏心した軸芯を有する偏心軸部２５ｄが設けられている。２６は略円柱状に形成されたばね受けであって、図５に示すように周部の一部に溝２６ａが形成され、回動規制部２６ｂが設けられている。このばね受け２６はばね受けバー１３のばね孔１３ｄ内に嵌入され、溝２６ａには調整ピン２５の偏心軸部２５ｄが臨んでいる。この状態で、調整ピン２５は、偏心軸部２５ｄがばね受け２６の回動規制部２６ｂに係合していることによって、図５において回動範囲を１８０°に規制されていることになる。
【００２１】
２７は弾性部材としての圧縮コイルばねであって、前記ばね受け２６を介して調整ピン２５の偏心軸部２５ｄと、万力台１１の下部側に設けられたばね孔１１ｂの底面との間に弾装されている。この圧縮コイルばね２７は、カム軸１５の大径部１５ｂを支点として尻側版万力１０を版張り方向（図中矢印Ｃ方向）に付勢している。すなわち、図示を省略した駆動装置を駆動させることによってカム軸１５を回動させ、大径部１５ｂを万力台１１に対接させると、図３に示すように、切欠き２の壁面２ｂと万力台１１の下部側の端面１１ｃとの間に間隔αなる隙間２８が形成される。したがって、この状態で、圧縮コイルばね２７の弾発力によって、万力台１１のくわえ側端部がカム軸１５の大径部１５ｂを支点として矢印Ｃ方向に付勢されることになる。
【００２２】
一方、図示を省略した駆動装置を駆動させることによってカム軸１５を回動させ、小径部１５ａを図４に示すように万力台１１に対接させると、万力台１１の下部が圧縮コイルばね２７の弾発力によって矢印Ｄ方向に移動し、切欠き２の壁面２ｂに万力台１１の下部側の端面１１ｃが対接する。したがって、この状態で圧縮コイルばね２７による万力台１１の版張り方向への付勢力が解除される。同時に、圧縮コイルばね２０の弾発力によって、万力台１１のくわえ側端部が支持軸１４を揺動中心として矢印Ｄ方向に回動し、くわえ面１１ａがくわえ板１２のくわえ面１２ａから離間するので、互いのくわえ面１１ａ，１２ａの間が開く。
【００２３】
次に、このような構成の印刷機の版万力装置において、版を天地方向に見当調整を行う動作について説明する。図１において、くわえ側版万力５の万力台６およびくわえ板７の各くわえ面６ａ，７ａとの間に版のくわえ側端部を挿入し、図示を省略した駆動装置によってカム軸９を回動させることにより、万力台６のくわえ面６ａに対してくわえ板７のくわえ面７ａを閉じ版のくわえ側端部をくわえる。次いで、版胴を略１回転させ、版の尻側端部を尻側版万力１０Ａ，１０Ｂ，１０Ｃの万力台１１およびくわえ板１２のそれぞれのくわえ面１１ａ，１２ａとの間に版の尻側端部を挿入する。
【００２４】
図示を省略した駆動装置によってカム軸１５を回動させることにより、図３に示すように大径部１５ｂによって圧縮コイルばね２０の弾発力に抗して万力台１１を図中時計方向に回動させ、万力台１１のくわえ面１１ａに対してくわえ板１２のくわえ面１２ａを閉じ版の尻側端部をくわえる。さらに、カム軸１５を時計方向に回動させることによって、尻側版万力１０Ａ，１０Ｂ，１０Ｃの万力台１１およびくわえ板１２を版の尻側端部をくわえたまま矢印Ｃ方向にわずかに移動させて、版を天地方向に引っ張り緊張した状態で版胴１の周面に装着する。
【００２５】
ここで、版を天地方向に拡げるか、または縮める見当調整が必要になった場合は、図３において調整ピン２５の六角穴２５ｂに、版胴１の外側から図示を省略したレンチの先端部を挿入し調整ピン２５を回動させる。この回動によって、偏心軸部２５ｄが矢印Ｃ−Ｄ方向にわずかに移動するため、ばね受け２６を介して万力台１１を付勢している圧縮コイルばね２７が圧縮または伸長するので、圧縮コイルばね２７による万力台１１への付勢力が増大または減少する。
【００２６】
圧縮コイルばね２７の付勢力を増大または減少させることによって、カム軸１５の大径部１５ｂを支点として万力台１１のくわえ側端部を図中矢印Ｃ−Ｄ方向へわずかに移動させることができるから、版を天地方向に拡げるかまたは縮める見当調整が行われる。この見当調整は、調整ピン２５の頭部２５ａが版胴１の半径方向を指向しているため、レンチの先端部を六角穴２５ｂへ挿入する作業を版胴１の外形方向から行うことができるから作業が容易である。また、この調整作業では、調整ピン２５をわずかに回動させるだけでよいから、調整が容易かつ短時間で行うことができる。
【００２７】
次に、このように版胴１に見当調整された状態で装着された版を交換する場合について説明する。この場合は、版の天地方向の見当調整を行った調整ピン２５を操作することなく、図示を省略した駆動装置を駆動させることにより、尻側版万力１０Ａのカム軸１５を回動させ、図４に示すように小径部１５ａを万力台１１に対接させる。上述したように、この状態では、切欠き２の壁面２ｂに万力台１１の下部側の端面１１ｃが対接し、圧縮コイルばね２７による万力台１１の版張り方向への付勢力が解除される。すなわち、カム軸１５を回動させ小径部１５ａを万力台１１に対接させれば、圧縮コイルばね２７の弾発力によって万力台１１のくわえ側端部が矢印Ｃ方向に付勢されるようなことがない。
【００２８】
このとき、圧縮コイルばね２０の弾発力によって、万力台１１のくわえ面１１ａがくわえ板１２のくわえ面１２ａから離間し、互いのくわえ面１１ａ，１２ａの間が開いた状態となっている。したがって、調整ピン２５の回動位置に関係なく、常に、万力台１１のくわえ面１１ａとくわえ板１２のくわえ面１２ａとの間が版を挿入できる充分な隙間が形成されるように開いた状態となっている。このため、調整ピン２５を何ら操作することなく、万力台１１のくわえ面１１ａとくわえ板１２のくわえ面１２ａとの間から版の尻側端部を取り外したり、挿入する作業を行うことができるから版の交換作業に際しての操作性が向上するともに、版に付与するテンション力を切り替えによって予め調整させることにより紙の伸びによる天地方向のずれ量を減少させることができる。
【００２９】
なお、本実施の形態においては、圧縮コイルばね２７の付勢力を調整するために、調整ピン２５に偏心軸部２５ｄを設けたが、調整ピン２５と同心軸上に大径部と小径部を有するカムを設けるようにしてもよい。
【図面の簡単な説明】
【００３０】
【図１】本発明に係る印刷機の版万力装置が実施された版胴の上半分を示す断面図である。
【図２】本発明に係る印刷機の版万力装置が実施された版胴の切欠きに装着された版万力装置の左側半分を示す平面図である。
【図３】本発明に係る印刷機の版万力装置において、カム軸の大径部を万力台に対接させた状態を示す図２におけるIII-III 線断面図である。
【図４】本発明に係る印刷機の版万力装置において、カム軸の小径部を万力台に対接させた状態を示す図２におけるIII-III 線断面図である。
【図５】図３におけるV-V 線断面図である。
【符号の説明】
【００３１】
１…版胴、２…切欠き、３…ベアラ、５…くわえ側版万力、１０…尻側版万力、１１…万力台、１１ａ，１２ａ…くわえ面、１１ｂ…ばね孔、１２…くわえ板、１３…ばね受けバー、１３ｃ…貫通孔、１３ｄ…ばね孔、１５…カム軸、１５ａ…小径部、１５ｂ…大径部、２５…調整ピン（調整手段）、２５ｂ…六角穴、２５ｄ…偏心軸部、２６…ばね受け、２７…圧縮コイルばね（付勢手段）。
【図１】
2007111938.tif 000003
【図２】
2007111938.tif 000004
【図３】
2007111938.tif 000005
【図４】
2007111938.tif 000006
【図５】
2007111938.tif 000007